(57)【要約】      （修正有）【課題】自転車の後方の荷台に子供を乗せるためのシートや、買い物などの荷物を載せるための籠を装着しても鍵を差し込みやすく、そして、鍵にキーホルダーが取り付けられていてもキーホルダーが車輪と干渉しない自転車用錠を提供する。【解決手段】開口部１１が対向する円弧状部１２を有する錠本体１と、円弧状部１２内で摺動自在に嵌装されるカンヌキ２と、カンヌキ２の基端部２１に固着されカンヌキ２の摺動を規制する付勢部材３と、錠本体１に固設されカンヌキ２及び付勢部材３を覆う蓋部４を備え、鍵Ｋを挿入する鍵穴が開口部１１側であってカンヌキ２の摺動面上に位置し、カンヌキ２に対して斜設され、カンヌキ２の中間部２３の周側面に鍵Ｋの枢動と連動する係止片５２と係合可能である第一切欠部２４が設けられ、カンヌキ２の先端部に第一切欠部２４と隔離され係止片５２と係合可能である第二切欠部２５が設けられている。【選択図】図１
2018131734.tif 000002
【特許請求の範囲】
【請求項１】
開口部が対向する円弧状部を有する錠本体と、
前記円弧状部内で摺動自在に嵌装されるカンヌキと、
前記カンヌキの基端部に固着され前記カンヌキの摺動を規制する付勢部材と、
前記錠本体に固設され前記カンヌキ及び前記付勢部材を覆う蓋部を備え、
鍵を挿入する鍵穴が、前記開口部側であって前記カンヌキの摺動面上に位置し、前記カンヌキに対して斜設され、
前記カンヌキの中間部の周側面に前記鍵の枢動と連動する係止片と係合可能である第一切欠部が設けられ、前記カンヌキの先端部に前記第一切欠部と隔離され前記係止片と係合可能である第二切欠部が設けられていることを特徴とする自転車用錠。
【請求項２】
前記カンヌキを操作するために把持する把持部が、前記第一切欠部及び前記第二切欠部よりも前記カンヌキの基端部側に固設されていることを特徴とする請求項１に記載の自転車用錠。
【請求項３】
自転車の後方に位置する荷台の一端側を挟持する支持部に取付けられる固定部に穿設された固定部固設孔と、前記錠本体の前記円弧状部の内側に穿設された錠本体固設孔に挿通される固設部材により、前記固定部に対して固設されていることを特徴とする請求項１又は請求項２に記載の自転車用錠。
【請求項４】
前記固定部との間に、前記固定部及び前記錠本体と当接し、前記固設部材を挿通する挿通孔を有する連結部を介して固設されていることを特徴とする請求項３に記載の自転車用錠。
【発明の詳細な説明】
【技術分野】
【０００１】
本発明は、自転車などの被施錠体に装着される錠に関するものである。
【背景技術】
【０００２】
従来、円弧状の錠本体内部に、円弧状のカンヌキと、付勢バネを備えたサークル錠を、自転車等の被施錠体に付設されることは広く知られている。
【０００３】
例えば、特許文献１では、円弧形の錠ケース内に、円弧状の閂杆と復元ばねを備えたサークル錠型の自転車用錠に係る発明が開示されている。
【先行技術文献】
【特許文献】
【０００４】
【特許文献１】特開２０１４−５５４８３号公報
【発明の概要】
【発明が解決しようとする課題】
【０００５】
しかしながら、特許文献１の自転車用錠は、シートステイと呼ばれるサドルの下部に位置するフレームの一部分に固定されるものであるが、自転車の後方の荷台に子供を乗せるためのシートや、買い物などの荷物を載せるための籠を装着すると、鍵を差し込む鍵穴がそれらシートや籠の陰になり見づらいために、鍵の差し込み操作が行いにくいという課題があった。
【０００６】
また、鍵に取り付けたキーホルダーが、車輪と干渉しキーホルダーがちぎれたり、巻き込まれることにより自転車が転倒して自転車に乗っている人が怪我をしたりする恐れがあった。
【０００７】
そこで、本発明は、上記問題に鑑み、自転車の後方の荷台に子供を乗せるためのシートや、買い物などの荷物を載せるための籠を装着しても鍵を差し込みやすく、そして、鍵にキーホルダーが取り付けられていてもキーホルダーが車輪と干渉しない自転車用錠を提供することを目的とする。
【課題を解決するための手段】
【０００８】
〔１〕すなわち、本発明は、開口部（１１）が対向する円弧状部（１２）を有する錠本体（１）と、前記円弧状部（１２）内で摺動自在に嵌装されるカンヌキ（２）と、前記カンヌキ（２）の基端部（２１）に固着され前記カンヌキ（２）の摺動を規制する付勢部材（３）と、前記錠本体（１）に固設され前記カンヌキ（２）及び前記付勢部材（３）を覆う蓋部（４）を備え、鍵（Ｋ）を挿入する鍵穴（５Ｈ）が前記開口部（１１）側であって前記カンヌキ（２）の摺動面上に位置し、前記カンヌキ（２）に対して斜設され、
前記カンヌキ（２）の中間部（２３）の周側面に前記鍵（Ｋ）の枢動と連動する係止片（５２）と係合可能である第一切欠部（２４）が設けられ、前記カンヌキ（２）の先端部に前記第一切欠部（２４）と隔離され前記係止片（５２）と係合可能である第二切欠部（２５）が設けられていることを特徴とする自転車用錠である。
【０００９】
〔２〕そして、前記カンヌキ（２）を操作するために把持する把持部（２６）が、前記第一切欠部（２４）及び前記第二切欠部（２５）よりも前記カンヌキ（２）の基端部（２１）側に固設されていることを特徴とする前記〔１〕に記載の自転車用錠である。
【００１０】
〔３〕そして、自転車の後方に位置する荷台（６）の一端側を挟持する支持部（７）に取付けられる固定部（８）に穿設された固定部固設孔（８１）と、前記錠本体（１）の前記円弧状部（１２）の内側に穿設された錠本体固設孔（１３）に挿通される固設部材（Ｒ）により、前記固定部（８）に対して固設されていることを特徴とする前記〔１〕又は前記〔２〕に記載の自転車用錠である。
【００１１】
〔４〕そして、前記固定部（８）との間に、前記固定部（８）及び前記錠本体（１）と当接し、前記固設部材（Ｒ）を挿通する挿通孔（９１）を有する連結部（９）を介して固設されていることを特徴とする前記〔３〕に記載の自転車用錠である。
【発明の効果】
【００１２】
本願発明によれば、自転車の後方の荷台に子供を乗せるためのシートや、買い物などの荷物を載せるための籠を装着しても鍵を差し込みやすく、そして、鍵にキーホルダーが取り付けられていてもキーホルダーが車輪と干渉しないようにすることができる。
【図面の簡単な説明】
【００１３】
【図１】本発明の一実施形態の自転車用錠における分解斜視図である。
【図２】本発明の一実施形態の自転車用錠における開錠施錠状態の左側面図である。
【図３】本発明の一実施形態の自転車用錠における開錠状態の背面図である。
【図４】本発明の一実施形態の自転車用錠における開錠状態の一部分解背面図である。
【図５】本発明の一実施形態の自転車用錠における施錠状態の一部分解背面図である。
【図６】本発明の一実施形態の自転車用錠を固設するための荷台及び固定部の分解斜視図である。
【図７】本発明の一実施形態の自転車用錠を固設するための荷台及び固定部の斜視図である。
【図８】本発明の一実施形態の自転車用錠を荷台及び固定部に固設する途中の分解斜視図である。
【発明を実施するための形態】
【００１４】
以下、本発明に係る自転車用錠に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。なお、説明中における範囲を示す表記のある場合は、上限と下限を含有するものである。
【００１５】
図１〜図５において、本発明に係る自転車用錠の一実施形態についての分解斜視図、開錠施錠状態の左側面図、開錠状態の背面図、施錠状態の一部分解背面図を示している。本実施形態では、錠本体１、カンヌキ２、付勢部材３、蓋部４、シリンダー錠５などから構成されている。
【００１６】
錠本体１は、自転車の荷台などに固設される錠の筺体であり、開口部１１が対向して位置し、その内側にカンヌキ２と付勢部材３を保持しうる溝を有している円弧状に湾曲した円弧状部１２を備える部材である。そして、円弧状部１２の両端部に位置する開口部１１の一方側には、鍵Ｋを差し込む鍵穴５Ｈを有するシリンダー錠５が錠本体１に収納されている。さらに、錠本体１の左右の内側が自転車の荷台等に固設するために張り出しており、それぞれの張り出した部材に固設部材Ｒを挿通するための錠本体固設孔１３が穿設されている。また、図８に表れているように、カンヌキ２の把持部２６が回動しうるための円弧状の孔が、円弧状部１２に設けられている。
【００１７】
カンヌキ２は、根本側の一端部である基端部２１に取り付けられた付勢部材３を介して錠本体１の溝に保持され、開錠位置から把持部２６を回動することに連動して、錠本体１の一方の開口部１１から突出し、又は、その開口部１１に戻入する円弧状の部材である。カンヌキ２の曲率は、錠本体１の円弧状部１２の曲率と略同一であるため、カンヌキ２が錠本体１の溝を円滑に移動することができる。
【００１８】
そして、図１、図４、図５に示すように、カンヌキ２の中央近傍である中間部２３の外周側面には、後述する係止片５２と係合する窪みである第一切欠部２４が設けられており、カンヌキ２の先端側の一端側に位置する先端部２２に第一切欠部２４から隔離され同じく係止片５２と係合する窪みである第二切欠部２５が設けられている。本実施形態では、第一切欠部２４がカンヌキ２の中間部２３に設けられており、第二切欠部２５がカンヌキ２の一端側に設けられているが、第一切欠部２４と第二切欠部２５との間隔は、対向する開口部１１の間隔などであることが好ましい。第一切欠部２４と第二切欠部２５との間隔がこの程度の間隔であると、開錠状態においてカンヌキ２の先端部２１が円弧状部１２の内側に隠れるため走行中にカンヌキ２が車輪のスポークに接触することがなく、また、施錠状態においてもカンヌキ２の先端部２１が円弧状部１２の内側に隠れるためカンヌキ２が車輪のスポークに確実に接触し車輪が回転することがなく、自転車の盗難を防止することができる。
【００１９】
また、図５に示すように、第一切欠部２４が係止片５２と係合することにより、カンヌキ２は付勢部材３である弾性バネの付勢力によって開錠状態に戻ることができず、施錠状態となる。そして、図４に示すように、図５の施錠状態から、シリダー錠５の鍵穴５Ｈに挿入している鍵Ｋを回転させることにより連動する係止片５２が、第一切欠部２４との係合が解除されることで、付勢手段３である弾性バネの付勢力によってカンヌキ２が摺動され開錠状態とされる。また、逆に、図４の開錠状態から、シリダー錠５の鍵穴５Ｈに挿入している鍵Ｋを回転させることにより連動する係止片５２が、第二切欠部２５との係合が解除されることで、把持部２６を付勢手段３である弾性バネの付勢力に抗ってカンヌキ２を摺動させて施錠状態とすることもできる。
【００２０】
さらに、図４の開錠状態において、シリダー錠５の鍵穴５Ｈに挿入している鍵Ｋが開錠するときとは逆方向に操作されると、第二切欠部２５が鍵Ｋの操作により連動した係止片５２と係合することにより、カンヌキ２は把持部２６を操作しても施錠状態に戻ることができず、開錠状態を維持しながら鍵Ｋをシリンダー錠５の鍵穴５Ｈから抜き取ることができる。換言すると、図４において、開錠状態を維持しながら、鍵Ｋをシリンダー錠５の鍵穴５Ｈから抜き取ろうとすると、係止片５２を第二切欠部２５に係合させる必要がある。すなわち、鍵Ｋをシリンダー錠５の鍵穴５Ｈから抜き差しするためには、係止片５２の先端が円弧状部１２内の溝へ突出する必要があるため、施錠状態だけでなく開錠状態においても鍵Ｋを鍵穴５Ｈから抜き差しできるように、カンヌキ２に第一切欠部２４と第二切欠部２５が設けられている。第二切欠部２５が設けられていることにより、鍵Ｋにキーホルダーなどが取り付けられていたとしても、開錠状態において鍵Ｋを抜くことができるために、そのキーホルダーは車輪に干渉することがなく安全に自転車が走行することができる。
【００２１】
そして、把持部２６は、使用者がカンヌキ２の摺動を行うために摘む略三角形状の部材である。図１に示すように、把持部２６は、カンヌキ２の基端部２１と第一切欠部２４との間であって第一切欠部２４の近傍で留め具部材を介して固定されて、錠本体１における蓋部４側とは反対の側面から突出するように設けられている。使用者は、図４における開錠状態から把持部２６を摘み、図５における施錠状態となる位置まで移動させることができる。このように、把持部２６が、第一切欠部２４及び第二切欠部２５よりもカンヌキ２の基端部２１側に固設されていることにより、自転車の荷台等に取り付けたときに把持部２６が錠本体１の上側に位置するために使用者が操作しやすい。なお、本実施形態において、把持部２６の形状は略三角形状であるが、特にこの形状に限定されるわけでなく、他の実施形態において、略矩形状、略円形状、略楕円形状など使用者が摘みやすい形状とすることができる。
【００２２】
付勢部材３は、一端を錠本体１の内部に固定され、他端をカンヌキ２の基端部２１と固定されている弾性力を有する部材である。本実施形態において、付勢部材３は、螺旋状に巻かれた金属製の弾性バネであり、カンヌキ２が開錠状態から施錠状態に摺動するに従ってその摺動する方向とは反対向きに付勢力が働く。このため、施錠状態において、シリンダー錠５と連動する係止片５２が第二切欠部２５との係合が解除されると、伸長されている付勢部材３の付勢力により、カンヌキ２が施錠状態から開錠状態になるように摺動する。なお、付勢部材３は弾性バネに限定されるものではなく、弾性ゴムを使用することもできる。
【００２３】
蓋部４は、カンヌキ２及び付勢部材３を錠本体１に保持するために、錠本体１に固定される部材である。錠本体１の内部に設けられ蓋部４側に突設された略円柱状のボス部１４を蓋部４に穿孔されたボス部取付孔４１に貫通させ、ボス部取付孔４１より貫通したボス部１４を、金属工具などを用いてかしめることにより、蓋部４と錠本体１とを固定することができ容易に取り外すことができなくなる。本実施形態において、蓋部４は、平板状であるが、錠本体１とは反対側である外側又は内側に膨らんだ凹凸などを有する形状とすることもできる。
【００２４】
シリンダー錠５は、錠本体１の一方の開口部１１側に収納されている内筒と外筒を備えた円柱状の錠であり、鍵Ｋの枢動によりカンヌキ２の施錠状態及び開錠状態を制御する部材である。図１、図２に示すように、シリンダー錠５の一端側、そして、錠本体１の開口部１１側であって、カンヌキ２が摺動する経路を含む面である摺動面上に位置し、カンヌキ２に対して斜設された鍵穴５Ｈを有している。具体的には、図４、図５に示すように、シリンダー錠５の鍵穴５Ｈは、カンヌキ２の摺動面上に位置し、円弧状のカンヌキ２の中心Ｏと二つの開口部１１の中間点を結ぶ中心線Ｃに対して傾斜角αの角度だけ傾斜している。傾斜角αは、５〜６０度であることが好ましく、３５〜５５度であることがさらに好ましく、４０〜５０度であることがより好ましい。傾斜角αがこの範囲であると、使用者が鍵Ｋを差し込むときに錠本体１にぶつからず、また、手首をひねることなくスムーズに操作することができ、さらに他の物などに干渉することを防止することができる。鍵穴５Ｈがこのような箇所に位置していることにより、自転車の後方の荷台に子供を乗せるためのシートや、買い物などの荷物を載せるための籠を装着しても鍵を差し込みやすく、また、本実施形態の自転車用錠を自転車の荷台等に取り付けたときに、鍵Ｋに取り付けているキーホルダーなどの部材が車輪に干渉しにくいため車輪に巻き込まれることによる自転車の転倒などを防止することができる。そして、シリンダー錠５に対して適切な鍵Ｋを差し込むことにより、図示しない内部の内筒が回転させることができ、図１に示すように、シリンダー錠５と連動する回転片５１が回動し、図示しない回転片５１から突設されている突起が係止片５２の突起嵌合穴５２１と係合することができる。これにより、シリンダー錠５の回転運動が係止片５２の直線運動へと変換されて、係止片５２の先端が円弧状部１２内部の溝に突出することとなる。
【００２５】
係止片５２は、一端が錠本体１の内部でバネ５３と当接し、シリンダー錠５に挿した鍵Ｋの枢動と連動する略平板状の部材である。バネ５３と当接している一端とは反対側の係止片５２の先端が、円弧状部１２内部の溝に突出する又は突出しないように動きが規制されている。すわなち、この係止片５２にバネ５３以外による力が加わらなければ、バネ５３の付勢力により、係止片５２の先端が円弧状部１２内部の溝に突出するよう押されている。そして、図１に示すように、係止片５２の中央部近傍に設けられた突起嵌合穴５２１に、シリンダー錠５と連動し回転片５１の図示しない突起と係合することにより、バネ５３の付勢力に抗って係止片５２の先端を円弧状部１２内部の溝から退避させることもできるようになる。これらの係止片５２の動作によりカンヌキ２の施錠と開錠を制御することができる。
【００２６】
荷台６は、自転車の後方であって、車輪や泥除けカバーの上方に位置し、複数の棒状部材からなり、荷物や人などを載せる台である。図６、図７に示すように、荷台６の後端側を挟持する支持部７が取り付けられている。支持部７は、荷台６の下方に位置する略平板状の下側支持部７１と上方に位置する略平板状の上側支持部７２からなり、下側支持部７１と上側支持部７２とで荷台６を挟んで螺子にて固定されることにより、荷台６を挟持する。また、下側支持部７１の下部にはパイプ状の枠を有している。
【００２７】
固定部８は、支持部７を構成する下側支持部７１の下部にはパイプ状の枠の後方に取り付けられ、略円弧状の部材である。固定部８には、左右に複数の固定部固設孔８１が穿設されている。固定部固設孔８１により、錠本体１の円弧状部１２の内側に穿設された錠本体固設孔１３と固定部固設孔８１に螺子などの固設部材Ｒを挿通することができ、固定部８に対して、本発明の自転車用錠を固設することができる。
【００２８】
また、連結部９は、錠本体１と固定部８との間に位置し、固定部８及び錠本体１と当接することにより固定部８に対して錠本体１を安定して固定する部材である。連結部９には螺子などの固設部材Ｒを挿通する挿通孔９１が穿設されており、そして、挿通孔９１が固定部８の固定部固設孔８１と対向しているため、固定部８に対して錠本体１を安定して固定することができる。
【符号の説明】
【００２９】
１・・・錠本体
１１・・・開口部
１２・・・円弧状部
１３・・・錠本体固設孔
１４・・・ボス部
２・・・カンヌキ
２１・・・基端部
２２・・・先端部
２３・・・中間部
２４・・・第一切欠部
２５・・・第二切欠部
２６・・・把持部
３・・・付勢部材
４・・・蓋部
４１・・・ボス部取付孔
５・・・シリンダー錠
５Ｈ・・・鍵穴
５１・・・回転片
５２・・・係止片
５２１・・・突起嵌合穴
５３・・・バネ
６・・・荷台
７・・・支持部
７１・・・下側支持部
７２・・・上側支持部
８・・・固定部
８１・・・固定部固設孔
９・・・連結部
９１・・・挿通孔
Ｋ・・・鍵
Ｒ・・・固設部材
【図１】
2018131734.tif 000003
【図２】
2018131734.tif 000004
【図３】
2018131734.tif 000005
【図４】
2018131734.tif 000006
【図５】
2018131734.tif 000007
【図６】
2018131734.tif 000008
【図７】
2018131734.tif 000009
【図８】
2018131734.tif 000010